(57)【要約】【課題】改良された心棒位置決め構造を提供すること。【解決手段】安定した位置決めと自動復帰機能を提供する心棒位置決め構造は、心棒と回転部材を含む。心棒は、軸方向正接表面を有するステムを備える。回転部材は、ステムの外径よりも僅かに大きい非連続環状スリーブを有する。スリーブは、軸方向正接表面に対応する端部に押圧表面を有する。押圧表面は、軸方向正接表面から離間するように旋回され、次に、ステムの周辺部を押圧し、それによって、スリーブの内径が拡大されて安定した位置決めのための押圧力を提供する。押圧表面が軸方向正接表面の中間部まで旋回されると、押圧表面は、ステムの周辺部から抜けて、スリーブが復帰力を提供して元の位置に自動的に復帰する。【選択図】図２
0003119116.tif 000002
【実用新案登録請求の範囲】
【請求項１】
心棒位置決め構造であって、
締結ロッドとこの締結ロッドから延出されるステムとを有する心棒を備え、
ステムは、周辺でステムの軸方向に実質的に平行な周辺上の軸方向正接面を有するとともに、締結プレートとこの締結プレートから延出する非連続環状スリーブとを有する回転部材を備え、
スリーブは、ステムの外径に嵌合すると共に軸方向正接面に対応する端部から延出する軸方向押圧表面を有し、
押圧表面の中心線が、スリーブの内半径よりも小さい距離だけスリーブの中心線から離間される、
心棒位置決め構造。
【請求項２】
締結ロッドは、複数の締結用孔を有する、請求項１に記載の心棒位置決め構造。
【請求項３】
締結プレートは、複数の締結用孔を有する、請求項１に記載の心棒位置決め構造。
【請求項４】
ステムにはストッパーを有し、且つ締結プレートには心棒が所定の範囲内で回転部材に相対して旋回されるように制限するためのフランジプレートを有する、請求項１に記載の心棒位置決め構造。
【請求項５】
ストッパーは、締結ロッドに対応する軸方向正接面の端部に配置される、請求項４に記載の心棒位置決め構造。
【請求項６】
電子デバイスであって、
第１のオブジェクトと、心棒位置決め構造を介して第１のオブジェクトに対してヒンジで動かされる第2のオブジェクトと、を備え、
心棒位置決め構造は、
締結ロッドとこの締結ロッドから延出されるステムとを有する心棒を備え、
ステムは、軸方向に実質的に平行な周辺上の軸方向正接面を有するとともに、締結プレートとこの締結プレートから延出する非連続環状スリーブとを有する回転部材を備え、
スリーブがステムの外径に嵌合すると共に軸方向正接面に対応する端部から延出する押圧表面を有し、
押圧表面の中心線が、スリーブの内半径よりも小さい距離だけスリーブの中心線から離間される、
電子デバイス。
【請求項７】
締結ロッドは、複数の締結用孔を有する、請求項６に記載の電子デバイス。
【請求項８】
締結プレートは、複数の締結用孔を有する、請求項６に記載の電子デバイス。
【請求項９】
ステムにはストッパーを有し、且つ締結プレートには心棒が所定の範囲内で回転部材に相対して旋回されるように制限するためのフランジプレートを有する、請求項６に記載の電子デバイス。
【請求項１０】
ストッパーは、締結ロッドに対応する軸方向正接面の端部に位置される、請求項９に記載の電子デバイス。
【考案の詳細な説明】
【技術分野】
【０００１】
本考案は、互いに相対して回転することが出来る二つのオブジェクトで使用するために、特に回転カバーを有する電子デバイスに採用される安定的な位置決めと自動再位置決めを提供する心棒位置決め構造及びその構造を用いた電子デバイスである。
【背景技術】
【０００２】
ノートブック型コンピュータ、携帯電話機等の多くの携帯電子デバイスは、ホストとディスプレイスクリーンとを有する。ディスプレイスクリーンは、ホストに対して旋回されることが出来る。使用されない場合、ディスプレイスクリーンは、ホスト上に折り畳まれてサイズを減少し且つディスプレイスクリーンを保護する。使用時には、ディスプレイスクリーンは、旋回されて見たり操作したりするためのホストとの角度を形成することが出来る。ディスプレイスクリーンとホストとの間で相対回転を行うためには、それらが、心棒によりヒンジで動くようにされなければならない。従来の技術には多くの心棒位置決め技術がある。Ｒ．Ｏ．Ｃ．特許公開第５０８０４０号、第５２３１２７号、第５２６９６２号、第５３０８６４号、第５６６８１６号、第５７２５７４号、第５８６６３５号、第Ｍ２５６６７０号、第Ｍ２４５２８１号等に、参考文献が見られる。
【０００３】
心棒がノートブック型コンピュータに採用される場合、ディスプレイスクリーンが、使用される時は、ホストに対してある角度に開かれてその角度に維持される。そうするために、幾つかの従来の心棒位置決め構造では、（Ｒ．Ｏ．Ｃ．特許公開第５８６６３５号及び第Ｍ２４５２８１号等）スプリング又はパッドを使用して安定的な位置決め力を提供している。また、幾つかのものは、（Ｒ．Ｏ．Ｃ．特許公開第５２６９６２号、第５３０８６４号、第５６６８１６号及び第５７２５７４号のように）心棒の表面構造を介して安定的位置決め力を提供している。スプリング、パッド、或いは表面構造を介して位置決め力を提供する場合、心棒位置決め構造が余りに複雑である。製造及びアセンブリが困難であり、コストが高過ぎる。複雑な構造の問題を解決するために、Ｒ．Ｏ．Ｃ．特許公開第５０８０４０号は、心棒の周辺に対応するアーチ部分とアーチ中空体を含む摩擦部材を有する“心棒半径方向付勢構造”を開示している。摩擦部材の異なる直径を介して、アーチ中空部は、心棒の外径よりも小さな内径を有する。従って、心棒は、回転中に締め付けられて、位置決め力を提供する。また、心棒は、アーチ中空部と嵌合して自動的ラッチングを形成するフライス削り表面を有する。締め付けのための位置決め力を発生するようにテーパーデザインを提供する、Ｒ．Ｏ．Ｃ．特許公開第５０８０４０号は、上述の従来の技術の多くのものよりも簡単な構造を有する。しかしながら、アーチ中空部は、様々な直径を有する。このために、製造での困難さが増している。更に、アーチ中空部と心棒との間の嵌合がゆる過ぎる場合、位置決め力が弱すぎて、安定的な位置決めの効果が無くなる。他方、嵌合がきつ過ぎると、位置決め力が強くなり過ぎて、回転が困難又は自動ラッチングが不可能となる。
【０００４】
Ｒ．Ｏ．Ｃ．特許公開第Ｍ２５６６７０号は、第５０８０４０号の一部係属出願である“心棒構造”を開示している。この心棒構造は、同じ直径を有するスリーブを備える。スリーブは、内表面にスリットと平坦な表面を有する。スリットと平坦な表面を介して、締め付け力が提供される。そして、平坦な表面と対応するフライス削り表面を介して、自動折り畳みが達成され得る。また、Ｒ．Ｏ．Ｃ．特許公開第Ｍ２５６６７０号は、より単純な構造を開示している。しかしながら、その同じ直径のデザインでは、まで製造中に困難がある。平坦な表面は、スリーブの内表面上に形成されなければならない。携帯電子デバイスで使用される典型的な心棒は、約５乃至６ｍｍであるので、そのような小さなサイズの内壁上に平坦な表面を製造することは、極めて困難である。
【考案の開示】
【考案が解決しようとする課題】
【０００５】
上述の従来のデザインでは、スプリング、パッド又は改造表面を採用する複雑な構造の問題は克服しているが、摩擦部材の様々な直径やスリーブの内壁上に平坦な表面を製造するような製造上の困難さを考慮していない。従って、これらの従来のデザインは、心棒位置決め構造の最適なデザインではない。従って、本考案の目的は、改良された心棒位置決め構造を提供することである。
【課題を解決するための手段】
【０００６】
本考案に従う心棒位置決め構造は、第１のオブジェクトと第２のオブジェクトを連結することが出来、第１のオブジェクトと第２のオブジェクトが折り畳むため或いは両者の間に所定の角度を形成するために互いに対して旋回されることを可能とする。心棒位置決め構造は、心棒と金属製の回転部材とを含む。心棒は、締結ロッドとこの締結ロッドから延出するステムとを有する。ステムは、軸方向に実質的に平行な周辺上に軸方向の正接表面を有する。回転部材は、締結プレートとこの締結プレートの端部から延出する非連続的環状スリーブを含む。スリーブは、ステムの外径と実質的に同じ内径を有する。スリーブは、軸方向正接表面に嵌合する押圧表面を形成する端部を有する。スリーブは、軸方向正接面との接触において押圧表面でステムを包囲する。回転部材が旋回されると、押圧表面は、軸方向正接面から抜けてステムの周辺を押圧して、環状スリーブの内径が拡大される。金属の特性により、スリーブの復帰力が、ステム上に印加する押圧力になる。それによって、回転部材は、安定して心棒上に固定される。回転部材が旋回し、押圧表面が軸方向正接表面の中間部分まで戻ると、押圧表面がステムの周辺から抜け出し、スリーブの復帰力が環状スリーブを自動的に元の位置に戻す。
【０００７】
本願の第１発明は、心棒位置決め構造であって、締結ロッドとこの締結ロッドから延出されるステムとを有する心棒を備え、ステムは、周辺でステムの軸方向に実質的に平行な周辺上の軸方向正接面を有するとともに、締結プレートとこの締結プレートから延出する非連続環状スリーブとを有する回転部材を備え、スリーブは、ステムの外径に嵌合すると共に軸方向正接面に対応する端部から延出する軸方向押圧表面を有し、押圧表面の中心線が、スリーブの内半径よりも小さい距離だけスリーブの中心線から離間される、心棒位置決め構造である。
また、本願の第２発明は、締結ロッドは、複数の締結用孔を有する、本願の第１発明に記載の心棒位置決め構造である。
また、本願の第３発明は、締結プレートは、複数の締結用孔を有する、本願の第１発明に記載の心棒位置決め構造である。
また、本願の第４発明は、ステムにはストッパーを有し、且つ締結プレートには心棒が所定の範囲内で回転部材に相対して旋回されるように制限するためのフランジプレートを有する、本願の第１発明に記載の心棒位置決め構造である。
また、本願の第５発明は、ストッパーは、締結ロッドに対応する軸方向正接面の端部に配置される、本願の第４発明に記載の心棒位置決め構造である。
また、本願の第６発明は、電子デバイスであって、第１のオブジェクトと、心棒位置決め構造を介して第１のオブジェクトに対してヒンジで動かされる第2のオブジェクトと、を備え、心棒位置決め構造は、締結ロッドとこの締結ロッドから延出されるステムとを有する心棒を備え、ステムは、軸方向に実質的に平行な周辺上の軸方向正接面を有するとともに、締結プレートとこの締結プレートから延出する非連続環状スリーブとを有する回転部材を備え、スリーブがステムの外径に嵌合すると共に軸方向正接面に対応する端部から延出する押圧表面を有し、押圧表面の中心線が、スリーブの内半径よりも小さい距離だけスリーブの中心線から離間される、電子デバイスである。
また、本願の第７発明は、締結ロッドは、複数の締結用孔を有する、本願の第６発明に記載の電子デバイスである。
また、本願の第８発明は、締結プレートは、複数の締結用孔を有する、本願の第６発明に記載の電子デバイスである。
また、本願の第９発明は、ステムにはストッパーを有し、且つ締結プレートには心棒が所定の範囲内で回転部材に相対して旋回されるように制限するためのフランジプレートを有する、本願の第６発明に記載の電子デバイスである。
また、本願の第１０発明は、ストッパーは、締結ロッドに対応する軸方向正接面の端部に位置される、本願の第９発明に記載の電子デバイスである。
【０００８】
本考案の更なる適用の範囲は、以下に示される詳細な記述から明白となる。しかしながら、本考案の好適な実施の形態を指摘している詳細な記述及び特定の例は、単なる例示として与えられている。その理由は、本考案の精神と範囲内での種々な変更及び修正は、この詳細な記述から当業者にとっては明白であるからである。
【考案の効果】
【０００９】
本考案に従って、スリーブとステムの連結と嵌合を介して、心棒位置決め構造は、複雑な構造なしで形成されることが出来、安定した位置決めと自動復帰を達成する。更に、押圧表面が，湾曲によってスリーブの端部に形成されているので、それは、容易且つ正確に製造されることが出来る。それは、心棒位置決め構造の最適なデザインである。
【考案を実施するための最良の形態】
【００１０】
本考案の他の特徴及び具体的な実施例は、後続の詳しく説明及び図示より了解できる。
【実施例】
【００１１】
本考案に従う心棒位置決め構造は、第１のオブジェクトと第２のオブジェクトを連結するために使用され、折り畳み及び所定の角度を形成するために第１のオブジェクトと第２のオブジェクトが互いに対して旋回されることを可能とする。第１のオブジェクトと第２のオブジェクトは、電子デバイスを形成し、フラットディスプレイデバイス（特に、ＬＣＤ  ＴＶ）、ノートブック型コンピュータ、ＰＤＡ、携帯電話等の電子デバイスを形成する。第１のオブジェクトは、ホストであり、第２のオブジェクトは、ディスプレイスクリーンであっても良い。ディスプレイスクリーンは、ホストに対して旋回されてホストの上に折り畳まれたり、或いは、リフトアップされて見るためのホストとの角度を形成する。心棒位置決め構造の適用は、電子デバイスに制限されない。相対的な折り畳みや開口を必要とするあらゆるデバイスが、本考案で開示される技術を採用出来る。以下の記述は、本考案に従う回転カバーを有するディスプレイ機器の実施の形態に基づく。
【００１２】
図１Ａ、１Ｂ及び１Ｃは、本考案に従う電子デバイスの実施の形態を示す。電子デバイスは、第１のオブジェクト２１（ディスプレイデバイス）と第２のオブジェクト２２（カバー）とを含むディスプレイ機器２０である。第２のオブジェクト２２は、心棒位置決め構造（図３もまた参照及び以下で議論される）を介して旋回可能な方法で第１のオブジェクト２１の下端にヒンジで動くようにされる。第２のオブジェクト２２は、旋回されて第１のオブジェクト２１のディスプレイスクリーン上に折り畳まれることが出来る。図１Ａを参照すると、折り畳み状態で、第２のオブジェクト２２は、第１のオブジェクト２１のディスプレイスクリーンを保護出来、ラッチフックや位置決め装置に依存することなく、第２のオブジェクト２２は、第１のオブジェクト２１上に平らに位置される。図１Ｂと１Ｃを参照すると、第２のオブジェクト２２は、第１のオブジェクト２１の裏側に旋回されてある角度を形成し、テーブルトップ上で第１のオブジェクト２１を支持する支持フレームであるように旋回されることが出来る。
【００１３】
図２と３を参照すると、心棒位置決め構造１０は、金属製であり、心棒１１と回転部材１２とを含む。心棒１１は、締結ロッド１１１とステム１１２とを有する。締結ロッド１１１は、心棒１１を第１のオブジェクト２１へ締結するための螺子のような締結要素（図示せず）を収容するための複数の孔１１１１を有する。ステム１１２は、シリンダ状であり、締結ロッド１１１から同軸状に延出される。ステム１１２は、軸方向に沿って周辺上に軸方向正接表面１１２１及びこの軸方向正接表面１１２１に対応するストッパー１１２２を有する。
【００１４】
回転部材１２は、締結プレート１２１とこの締結プレート１２１から延出する非連続的環状スリーブ１２２を含む。締結プレート１２１は、回転部材１２を第２のオブジェクト２２に締結するための螺子のような締結要素（図示せず）を収容するための複数の孔１２１１を有する。更に、締結プレート１２１は、スリーブ１２２の接合部に隣接してフランジプレート１２１２を有する。スリーブ１２２は、ステム１１２の外径と実質的に同じ径を有するチューブ状である。環状スリーブ１２２は、締結プレート１２１から離間された端部を有し、それによって、側面視で不完全な円形を形成し、押圧表面１２２１は、軸方向正接表面に対応する端部上に延出する。押圧表面１２２１の内表面は、スリーブ１２２の内半径よりも小さな距離だけ環状スリーブ１２２の中心から離間される。
【００１５】
回転部材１２のスリーブ１２２は、心棒１１のステム１１２に対応すると共にそれに連結され、押圧表面１２２１は、軸方向正接表面１１２１に対応する。スリーブ１２２、ステム１１２、押圧表面１２２１及び軸方向正接表面は、締りばめを形成する。図４Ａ乃至４Ｆを参照して、通常の状態では、スリーブ１２２がステム１１２を取り囲む。回転部材１２が、力が入れられた状態で、心棒１１回りに旋回され（図４Ａ参照）、押圧表面１２２１は、軸方向正接表面１１２１から抜ける。押圧表面１２２１の内表面が、スリーブ１２２の内半径よりも小さな距離だけスリーブ１２２の中心から離間されているので、押圧表面１２２１は、スリーブ１２２を僅かに拡大出来る。金属の特性に起因して、スリーブ１２２の復帰力は、ステム１１２の表面に印加される押圧力になることが出来る。従って、回転部材１２は、安定して心棒１１上に固定されて（図４Ｂに示されるように）旋回角度を保持する。力が連続的に回転部材１２に印加されると、回転部材１２は、心棒１１の任意の望ましい位置で固定出来、且つ回転部材１２と心棒１１の間の角度が変更され得る。回転部材１２が旋回され、フランジプレート１２１２がストッパー１１２２に当接すると、回転部材１２は、停止され、更に旋回されることは出来ない（図４Ｃ及び４Ｄ参照）。このように、回転部材１２は、約３００度心棒１１に対して旋回されることが出来る。勿論、異なる位置にストッパーを造ることによって、回転部材１２と心棒１１の間の最大旋回角度が、望ましいように変更され得る。
【００１６】
回転部材１２を戻すために、力を印加して回転部材１２を復帰するように回す。押圧面１２２１が対応する軸方向正接表面１１２１の中間部まで旋回されると（図４Ｅ参照）、押圧表面１２２１の圧縮復帰力がスリーブ１２２を駆動して、押圧表面１２２１が自動的に軸方向正接表面１１２１と接触する元の位置へ復帰する（図４Ｆ参照）。
【００１７】
図１Ａ、１Ｂ及び１Ｃを参照すると、ディスプレイ機器２０において、第２のオブジェクト２２（カバー）が本考案の心棒位置決め構造１０を介して第１のオブジェクト２１（ディスプレイデバイス）上においてヒンジで動くようにされており、それらが互いに対して相対的に旋回される。通常の状態では、心棒１１と回転部材１２の嵌合に基づき、外力が印加されない場合、第２のオブジェクト２２は、第１のオブジェクト２１上で折り畳まれ、それと接触してその保護を行う。力が第２のオブジェクト２２の端部に印加されると、エッジとヒンジ接続部との間の距離が力アームとなり、第２のオブジェクト２２が第１のオブジェクト２１の回りで容易に回転出来る。力が解除されると、第２のオブジェクト２２が固定され、第１のオブジェクト２１に対応する望ましい位置に維持される。力が連続的に印加されると、第２のオブジェクト２２が第１のオブジェクト２１の裏側に旋回されることが出来、それによって、第２のオブジェクト２２が、ユーザが見たり、操作したりすることを容易にするためにテーブルトップ上で第１のオブジェクト２１を支持するための支持フレームであることが出来る。第２のオブジェクト２２を第１のオブジェクト２１上に折り畳むと、第２のオブジェクト２２の重量が移動を助け、それによって、第２のオブジェクト２２が第１のオブジェクト２１に近づくように移動させられる（図４Ｅ参照。押圧表面１２２１が軸方向正接表面１１２１の中間部へ近づく）と、第２のオブジェクト２２が、自動的に第１のオブジェクト２１上に折り畳まれてそれと接触する。このように、フックや他の締結要素を設ける必要はない。
【００１８】
上記のように本考案が記述されたが、本考案が多くの方法で変化させられることは明白である。このような変更は、本考案の精神と範囲から逸脱するものと見なされるべきではなく、当業者に自明であるこのような全ての変更は、以下の請求項の範囲内に含まれるとことが意図される。
【図面の簡単な説明】
【００１９】
【図１Ａ】本考案に従うディスプレイデバイスの概略図である。
【図１Ｂ】本考案に従うディスプレイデバイスの概略図である。
【図１Ｃ】本考案に従うディスプレイデバイスの概略図である。
【図２】本考案の分解図である。
【図３】本考案の分解図である。
【図４Ａ】本考案の動作を示す概略図である。
【図４Ｂ】本考案の動作を示す概略図である。
【図４Ｃ】本考案の動作を示す概略図である。
【図４Ｄ】本考案の動作を示す概略図である。
【図４Ｅ】本考案の動作を示す概略図である。
【図４Ｆ】本考案の動作を示す概略図である。
【符号の説明】
【００２０】
１０：心棒位置決め構造
１１：心棒
１１１：締結ロッド
１１２：ステム
１２：回転部材
１２１：締結プレート
１２２：環状スリーブ
２０：ディスプレイ機器
２１：第１のオブジェクト
２２：第２のオブジェクト
【図１Ａ】
0003119116.tif 000003
【図１Ｂ】
0003119116.tif 000004
【図１Ｃ】
0003119116.tif 000005
【図２】
0003119116.tif 000006
【図３】
0003119116.tif 000007
【図４Ａ】
0003119116.tif 000008
【図４Ｂ】
0003119116.tif 000009
【図４Ｃ】
0003119116.tif 000010
【図４Ｄ】
0003119116.tif 000011
【図４Ｅ】
0003119116.tif 000012
【図４Ｆ】
0003119116.tif 000013